(57)【特許請求の範囲】
【請求項１】
接続端子函を取り外した後、通信ケーブルの端部外皮を所望長さだけ切り裂いて心線を露出せしめ、不良心線の両側の心線間に割入れ心線を割り入れ接続すると共に、該割り入れ部分の不良心線を取り除き、続いて、一部あるいは全てが上記接続端子函の函本体から左右の外方に位置する接続部を内端部に保護管が取り付けられた防護パイプにより保護し、さらに該防護パイプの端部に防護テーパーパイプを取り付けて通信ケーブルを保護した後、接続端子函を取り付けることを特徴とする通信ケーブル不良心線の修理方法。
【請求項２】
上記防護パイプと防護テーパーパイプに代えて、これらを一体化したテーパーパイプ付き防護パイプを使用することを特徴とする請求項１に記載の通信ケーブル不良心線の修理方法。
【請求項３】
上記一体化したテーパーパイプ付き防護パイプを、上記接続端子函の導入部と一体化した構造とすることを特徴とする請求項２に記載の通信ケーブル不良心線の修理方法。
【請求項４】
上記防護パイプや防護テーパーパイプにシーリングテープを捲いて養生することを特徴とする請求項１〜３のいずれか１に記載の通信ケーブル不良心線の修理方法。
【発明の詳細な説明】
【０００１】
【発明の属する技術分野】
本発明は、通信ケーブル不良心線の修理方法に関する。
【０００２】
【従来の技術】
一般に、図８（Ａ）に示すように、ＣＣＰケーブルなどの市内配線用の通信ケーブル１は、接続端子函２を介して接続あるいは分岐されている。Ｐは支柱である。図８（Ｂ）（Ｃ）に示すように、上記接続端子函２は、主として函本体２ａと、その両端部から突出する導入部２ｂと、固定金具２ｃから構成されている。Ｋは吊り線である。
上記通信ケーブル１の端部は、導入部２ｂから函本体２ａ内に導入されて、固定金具２ｃにより固定されている。通信ケーブル１の端部からは心線１ａが引き出されて、接続部１ｂを介して他方の通信ケーブル１の心線１ａに接続されている。上記導入部２ｂから外部に露出する通信ケーブル１は、シーリングテープ３によりシールされ、その上に更に保護テープ３′を巻き付けて、雨などが侵入しないように養生されている。
【０００３】
ところで、上記市内配線用の通信ケーブル１の心線１ａは、何らかの原因で断線したり漏話等の通信不良を生じ、その修復のための工事、すなわち修理を必要とする。
従来、通信ケーブルの不良心線の修理は、その不良心線のある通信ケーブルの１区間分あるいは数区間分に亘って全て張り替えることにより行っていた。
尚、通信ケーブルの不良心線は、主に電話回線の故障修理の際、測定器による線路損失の測定や、目視によって発見するものである。
【０００４】
【発明が解決しようとする課題】
しかしながら、上記従来方法による修理では、１区間分あるいは数区間分に亘って全てのケーブルを張り替えなければならないため、工事が大掛かりとなるだけでなく、不良箇所の心線以外の大部分の健全ケーブルが無駄になる等の問題点があり、その修理方法の改善が要請されていた。
【０００５】
本発明は、上記従来の問題点を解決するためになされたもので、その目的とするところは、健全ケーブルを無駄にすることなく、不良心線を迅速かつ簡単に修理することができる通信ケーブル不良心線の修理方法を提供することにある。
【０００６】
【課題を解決するための手段】
本発明の通信ケーブル不良心線の修理方法は、接続端子函を取り外した後、通信ケーブルの端部外皮を所望長さだけ切り裂いて心線を露出せしめ、不良心線の両側の心線間に割入れ心線を割り入れ接続すると共に、該割り入れ部分の不良心線を取り除き、続いて、一部あるいは全てが上記接続端子函の函本体から左右の外方に位置する接続部を内端部に保護管が取り付けられた防護パイプにより保護し、さらに該防護パイプの端部に防護テーパーパイプを取り付けて通信ケーブルを保護した後、接続端子函を取り付けることを特徴とする。また、上記防護パイプと防護テーパーパイプに代えて、これらを一体化したテーパーパイプ付き防護パイプを使用することを特徴とする。さらに、上記一体化したテーパーパイプ付き防護パイプを、上記接続端子函の導入部と一体化した構造とすることを特徴とする。また、上記防護パイプや防護テーパーパイプにシーリングテープを捲いて養生することを特徴とするものである。
【０００７】
【発明の実施の形態】
以下、本発明の実施の形態について、図面を参照しながら説明する。
図１は、本発明の方法により修理された接続端子函内の心線の修理状態の一例を示すもので、１は通信ケーブル、１ａはその心線、２は接続端子函、２ａは函本体、２ｂは導入部、２ｃは固定金具、３はシーリングテープ、Ｋは吊り線（支持線）であって、図８に示す従来のものと基本的に同じ部材であり同じ機能を有する。
【０００８】
１ａ′は割入れ心線であって、取り除くべき不良部分の両側の心線１ａ間に割り入れされ、接続部１ｂ′を介して接続される。これらの接続部１ｂ′の一部あるいは全ては、上記函本体２ａから左右の外方に位置するため、防護パイプ４により被覆され保護される。防護パイプ４の内端部には保護管６が嵌挿されている。尚、割入れ心線とは、ケーブル心線の不良部分の両端にバイパスにつなぐ心線をいう。
【０００９】
上記防護パイプ４は、図２（Ａ）に示すように、長手方向に切込み部４ａが形成されていて、仮想線で示すように開くことができる。さらに該切込み部４ａには嵌合接続部４ａ′が設けられていて、切込み部４ａから雨等が侵入しないように嵌合状態で閉じるようになっている。上記防護パイプ４としては、例えば、ポリエチレン樹脂やナイロン樹脂などにより成形され、その外表面が軟質プラスチックやゴムで覆われた、古河電気工業株式会社製の「ＣＣＰケーブル補修用パイプ」を使用することができる。
【００１０】
図１に示すように、上記防護パイプ４の外端部と通信ケーブル１の端部は、防護テーパーパイプ５により被覆され、保護される。防護テーパーパイプ５は、図２（Ｂ）に示すように、先が細くなったテーパー部５ａと、上記防護パイプ４に嵌合状態で接続する嵌合部５ｂから構成されている。５ｃは分割スリットであって、防護テーパーパイプ５を弾発状態で閉じることができる。上記テーパー部５ａの先細端部は、通信ケーブル１の太さに合わせて、その長手方向の適当な位置で切断される。上記防護テーパーパイプ５としては、例えば、ポリエチレン樹脂やナイロン樹脂などにより成形された、古河電気工業株式会社製の「ＣＣＰケーブル補修用パイプの先端ノズル」を使用することができる。
【００１１】
次に、修理方法について説明する。まず、図８（Ｂ）および（Ｃ）に示す修理前の状態において、保護テープ３′及びシーリングテープ３を剥がして接続端子函２および固定金具２ｃを取り外す。続いて、左右の通信ケーブル１の端部の外皮を必要な長さだけ切り裂いて心線１ａを露出せしめ、図３（Ａ）に示すように、不良個所の両側の心線１ａの間に割入れ心線１ａ′を割入れする。１ｂ′は、心線１ａと割入れ心線１ａ′との接続部１ｂ′である。割入れ心線１ａ′の割入れが完了したら、破線で示す不良個所の心線１ａを除去して、図３（Ｂ）に示すように、割入れ心線１ａ′の割入れ作業を終了する。
【００１２】
割入れ作業が終了したら、不良部分の心線１ａを取り除く。続いて、図４（Ａ）に示すように、防護パイプ４を取り付ける。防護パイプ４の取り付けに際しては、まず、図２（Ａ）に仮想線で示すように防護パイプ４の切込み部４ａを開いて、その切込み部４ａから上記接続部１ｂ′の心線を防護パイプ４内に挿入する。防護パイプ４の内端部には保護管６を挿設して保護テープ３′で固定し、上記割入れ心線１ａ′が防護パイプ４の硬質内端縁と擦れ合って損傷するのを防ぐ。該保護管６にも、上記防護テーパーパイプ５と同様に、分割スリットが形成されている。保護管６は、古河電気工業株式会社製の「ＣＣＰケーブル補修用パイプの保護カバー」を使用することができる。
【００１３】
防護パイプ４の取り付け作業が終了したら、その内端部を固定金具２ｃにより固定し、続いて、図４（Ｂ）に示すように、防護テーパーパイプ５を取り付ける。防護テーパーパイプ５の取り付けに際しては、その嵌合部５ｂを上記防護パイプ４の端部に嵌め込むと共に、そのテーパー部５ａを上記通信ケーブル１に被装せしめる。上記防護テーパーパイプ５はシーリングテープ３を巻き付けた後、その上に保護テープ３′を巻き付けて、雨等の侵入を防止するように養生しておく。  防護パイプ４と防護テーパーパイプ５の取り付けが完了したら、図１に示すように、接続端子函２を取り付けて、修理作業を完了する。
【００１４】
図５は、本発明の第２実施例を示すもので、図１に示す第１実施例の防護パイプ４と防護テーパーパイプ５を一体化したテーパーパイプ付き防護パイプ７を使用することにより、部材を単純化すると共に作業能率を向上せしめるようにしたものである。
【００１５】
図６は、本発明の第３実施例を示すもので、図１に示す第１実施例の防護パイプ４と防護テーパーパイプ５を、上記接続端子函２の導入部２ｂと一体化した構造、すなわち導入部２ｂを長尺状導入部２ｂ′とすることにより、部材を更に単純化すると共に作業能率を更に向上せしめるようにしたものである。
【００１６】
上記各実施例では、不良心線が接続端子函２の内部にある場合の修理方法について説明したが、不良心線が接続端子函２の外部の通信ケーブル１にある場合には、図７に示す第４実施例のように、不良心線部分の通信ケーブル１の外皮を切り開いて、割入れ心線１ａ′を割入れ接続し、該接続部から両側の通信ケーブル１に亘って防護パイプ４を取り付けると共に、その両端部に防護テーパーパイプ５を取り付けて、シーリングテープ３及び保護テープ３′で養生して修理するようにしてもよい。また、上記防護テーパーパイプ５を防護パイプ４の両端部に一体的に形成してもよい。
【００１７】
【発明の効果】
１）内部に心線不良が生じている接続端子函を取り外した後、通信ケーブルの端部外皮を所望長さだけ切り裂いて心線を露出せしめ、不良部分の両側の心線間に割入れ心線を割り入れ接続すると共に、該割り入れ部分の心線を取り除き、続いて、上記接続部分を防護パイプにより保護し、さらに該防護パイプの端部に防護テーパーパイプを取り付けて通信ケーブルを保護した後、接続端子函を取り付けることにより、健全ケーブルを無駄にすることなく、迅速かつ簡単に割入れ接続をして修復することができる。
２）防護パイプと防護テーパーパイプに代えて、これらを一体化したノズル付き防護パイプを使用することにより、部材を単純化すると共に作業能率を向上せしめることができる。
３）防護パイプの内端部に保護管を取り付けることにより、防護パイプとの擦れ合いによる心線破損を効果的に防止することができる。
４）内部に心線不良が生じている接続端子函を取り外した後、通信ケーブルの端部外皮を所望長さだけ切り裂いて心線を露出せしめ、不良部分の両側の心線間に割入れ心線を割り入れ接続すると共に、該割り入れ部分の心線を取り除き、続いて、函本体の両端側に一体的に設けられると共に上記接続部分および通信ケーブルを保護する長尺状導入部を設けた接続端子函を取り付けることにより、健全ケーブルを無駄にすることなく、迅速かつ簡単に割入れ接続をして修復することができる。
５）内部に心線不良が生じている通信ケーブルの外皮を所望長さだけ切り裂いて心線を露出せしめ、不良部分の両側の心線間に割入れ心線を割り入れ接続すると共に、該割り入れ部分の心線を取り除き、続いて、上記割入れ心線および接続部分を防護パイプにより保護し、さらに該防護パイプの端部に防護テーパーパイプを取り付けて通信ケーブルを保護することにより、健全ケーブルを無駄にすることなく、迅速かつ簡単に割入れ接続をして修復することができる。
６）防護パイプや防護テーパーパイプにシーリングテープを捲いて養生することにより、雨などの侵入を効果的に防止することができる。
【図面の簡単な説明】
【図１】本発明の一実施例を示す説明図である。
【図２】図１の防護パイプの斜視図（Ａ）、防護テーパーパイプの斜視図（Ｂ）および保護管の斜視図（Ｃ）である。
【図３】本発明方法の一実施例を示す割入れ心線の割入れ作業の説明図（Ａ）（Ｂ）である。
【図４】図３に続く防護パイプの取付け作業の説明図（Ａ）および防護テーパーパイプの取付け作業の説明図（Ｂ）である。
【図５】本発明の第２実施例を示す説明図である。
【図６】本発明の第３実施例を示す説明図である。
【図７】本発明の第４実施例を示す説明図である。
【図８】従来の通信ケーブルの架線状態を示す説明図（Ａ）、接続端子函およびそれによる接続状態を示す半断面図（Ｂ）およびその端面方向から見た半断面図（Ｃ）である。
【符号の説明】
１  通信ケーブル
１ａ  心線
１ａ′割入れ心線
１ｂ  接続部
１ｂ′接続部
２  接続端子函
２ａ  函本体
２ｂ  導入部
２ｂ′長尺状導入部
２ｃ  固定金具
３  シーリングテープ
３′保護テープ
４  防護パイプ
４ａ  切込み部
４ａ′嵌合接続部
５  防護テーパーパイプ
５ａ  テーパー部
５ｂ  嵌合部
５ｃ  分割スリット
６  保護管
７  テーパーパイプ付き防護パイプ
Ｋ  吊り線（支持線）
Ｐ  支柱
【図１】
0004014884.tif 000002
【図２】
0004014884.tif 000003
【図３】
0004014884.tif 000004
【図４】
0004014884.tif 000005
【図５】
0004014884.tif 000006
【図６】
0004014884.tif 000007
【図７】
0004014884.tif 000008
【図８】
0004014884.tif 000009